(57)【特許請求の範囲】
【請求項１】
第一のビルと第二のビルとの間に第一の光ファイバを設置し、
Ｘ，Ｙ，Ｚの三つのポートを備えた第一および第二のバンドパス型カプラのＸポートを前記第一の光ファイバの両端にそれぞれ接続し、
前記第一のバンドパス型カプラのＹポートに第一の伝送装置を接続し、前記第一のバンドパス型カプラのＺポートに第二の伝送装置を接続し、
前記第二のバンドパス型カプラのＹポートに第三の伝送装置を接続し、
前記第二のバンドパス型カプラのＺポートに第四の伝送装置を接続し、
前記第二のビルと前記第二のビルに隣接する第三のビルとの間に第二の光ファイバを設置し、
Ｘ，Ｙ，Ｚの三つのポートを備えた第三および第四のバンドパス型カプラのＸポートを前記第二の光ファイバの両端にそれぞれ接続し、
前記第四のバンドパス型カプラのＹポートに第五の伝送装置を接続し、
前記第四のバンドパス型カプラのＺポートに第六の伝送装置を接続し、
前記第三のバンドパス型カプラのＹポートに前記第三の伝送装置を接続し、
前記第三のバンドパス型カプラのＺポートに前記第四の伝送装置を接続し、
前記第一および第三および第五の伝送装置は、単一あるいは複数の第一の波長の光信号を送受信し、
前記第二および第四および第六の伝送装置は、単一あるいは複数の第二の波長の光信号を送受信し、
前記第一の波長は、お互いが影響しないように波長間隔をとってある波長群であり、その波長はλ１からλｉ−１およびλｊからλｎまでの波長であり、
前記第二の波長は、お互いが影響しないように波長間隔をとってある波長群であり、その波長はλｉからλｊ−１までの波長であり、
ｉは２以上ｊ以下を表し、ｊはｉ＋１以上ｎ以下を表し、ｉ、ｊ、ｎはそれぞれ整数を表し、
前記第一、第二、第三、第四のバンドパス型カプラは、それぞれ、
前記Ｘポートから前記第一の波長の光信号と前記第二の波長の光信号とが合波された光信号を入力すると前記Ｙポートから単一あるいは複数の前記第二の波長の光信号を分波して出力し、
前記Ｚポートから単一あるいは複数の前記第一の波長の光信号を分波して出力し、前記Ｙポートから前記第二の波長の光信号を入力すると前記Ｘポートから前記第二の波長の光信号を出力し、
前記Ｚポートから前記第一の波長の光信号を入力すると前記Ｘポートから前記第一の波長の光信号を出力する
ことを特徴とする光通信網構成方法。
【請求項２】
前記第一のビルと第三のビルとの間に第三の光ファイバを設置し、
Ｘ，Ｙ，Ｚの三つのポートを備え、前記第一、第二、第三、第四のバンドパス型カプラと同じ特性を有する第五および第六のバンドパス型カプラのＸポートを前記第三の光ファイバの両端にそれぞれ接続し、
前記第五のバンドパス型カプラのＹポートに前記第一の伝送装置を接続し、
前記第五のバンドパス型カプラのＺポートに前記第二の伝送装置を接続し、
前記第六のバンドパス型カプラのＹポートに前記第五の伝送装置を接続し、
前記第六のバンドパス型カプラのＺポートに第六の伝送装置を接続した
請求項１記載の光通信網構成方法。
【請求項３】
二つの前記バンドパス型カプラの間に介挿された前記伝送装置を除去したときには、この二つの前記バンドパス型カプラのポート間を直結する請求項１または２記載の光通信網構成方法。
【請求項４】
前記第二の波長は反射し、前記第一の波長は透過する光学特性を有する第一および第二の光フィルタを備え、
前記第一の光フィルタは、
前記Ｘポートから入力した前記第二の波長の光を反射させ前記Ｙポートに出力する手段と、
前記Ｙポートから入力した前記第二の波長の光を反射させ前記Ｘポートに出力する手段と、
前記Ｚポートから入力し前記第二の光フィルタを透過した前記第一の波長の光をさらに透過させ前記Ｘポートに出力する手段と
を備え、
前記第二の光フィルタは、
前記第一の光フィルタにより反射されずに透過した一部の前記第二の波長の光を導波路の外に反射し、前記第一の波長の光を透過して前記Ｚポートに出力する手段と、
前記Ｚポートから入力した前記第一の波長の光を透過させ前記第一の光フィルタを介してＸポートに出力する手段と
を備えたことを特徴とする請求項１ないし３のいずれかに記載の光通信網構成方法に用いるバンドパス型カプラ。
【請求項５】
複数のビル間にそれぞれｍ（ｍは自然数）本の光ファイバが設置され、
各ビル内に各系統毎に送受信する波長が異なることを許容する最大２ｍ系統の伝送装置をそれぞれ備えた
請求項１ないし３のいずれかに記載の光通信網構成方法を用いて構成された光通信網。
【請求項６】
複数のビル間にそれぞれｍ（ｍは自然数）本の光ファイバが設置されてループ状に接続され、
各ビル内には、各系統毎に送受信する波長が異なることを許容する最大２ｍ系統の伝送装置を備え、
前記ビルへの前記ｍ本の光ファイバのうちの各光ファイバの入力端および出力端には、Ｘ，Ｙ，Ｚの三つのポートを備えたバンドパス型カプラがそれぞれ接続され、
前記バンドパス型カプラのＸポートが前記各光ファイバに接続され、Ｙポートがビル内の２系統の伝送装置のうちの第一の伝送装置に接続され、Ｚポートが第二の伝送装置に接続され、
前記第一の伝送装置は、単一あるいは複数の第一の波長の光信号を送受信する手段を備え、前記第二の伝送装置は、単一あるいは複数の第二の波長の光信号を送受信する手段を備え、
前記第一の伝送装置が送受信する第一の波長は、互いに影響しないように波長間隔をとってある波長群であり、その波長はλ１からλｉ−１およびλｊからλｎまでの波長であり、
前記第二の伝送装置が送受信する第二の波長は、互いに影響しないように波長間隔をとってある波長群であり、その波長はλｉからλｊ−１までの波長であり、
ｉは２以上ｊ以下を表し、ｊはｉ＋１以上ｎ以下を表し、ｉ、ｊ、ｎはそれぞれ整数を表し、
前記バンドパス型カプラは、前記第一の伝送装置が送受信する第一の波長の光信号と第二の伝送装置が送受信する第二の波長の光信号とを分波または合波し、
前記同一ビル内の二つのバンドパス型カプラの間に介挿された前記第一または第二の伝送装置が除去されたときは、同一ビル内の二つのバンドパス型カプラのＹまたはＺポート間が直結された
ことを特徴とする光通信網。
【発明の詳細な説明】
【０００１】
【発明の属する技術分野】
本発明は、光通信分野に利用される。特に、光ファイバを媒体とした波長多重（ＷＤＭ：Wavelength Division Multiplexer）光通信システムにおける光通信網の構成技術に関する。
【０００２】
【従来の技術】
従来の光通信網構成方法を図１２および図１３を参照して説明する。図１２および図１３は従来の複数の伝送装置を光ファイバケーブルでつないだシステムを示すブロック図である。図１２の光通信網は、光ファイバ１１−１、１１−２および１２−１、１２−２を媒体とした光信号を送受信する伝送装置５−１、５−２、６−１、６−２、７−１、７−２で構成されている。図１３の光通信網は、図１２の光通信網に加え、光ファイバ１００−１、１００−２を追加し、リング状のネットワークを構成している。
【０００３】
図１２および図１３とも複数の伝送装置５−１、５−２、６−１、６−２、７−１、７−２のうち、伝送装置５−１、６−１、７−１と伝送装置５−２、６−２、７−２とがそれぞれ異なる光通信網を構成する。したがって、異なる各光通信網では、それぞれ異なる波長により光信号の送受信を行うことができる。
【０００４】
これまでの伝送装置はそのままにし、波長の異なる新たな伝送装置を増設する場合には、新たにビル間に別の光ファイバを設置して新たな光通信網を構成し、それぞれのビル内に新たな伝送装置を設置する必要がある。
【０００５】
【発明が解決しようとする課題】
このように、従来の光通信網構成では、波長の異なる伝送装置の増設に伴い、新たな光通信網を構成することが必要になるため、全ビル間における新たな光ファイバの設置が必要になる。したがって、伝送装置を増設するためには、ビル間の光ファイバの増設工事を伴うため、その工数および工費が大きくなる。
【０００６】
また、従来、ビル間に設置した一本の光ファイバにより波長の異なる複数の伝送装置をビル内に設置しようとすれば、高価な波長多重分離装置を設けることが必要となり、設置コストが高価になってしまい、ビル間に新たな光ファイバを設置する場合と比較して経済的な利点が失われる。
【０００７】
本発明は、このような背景に行われたものであって、ビル間に設置されたｍ本の光ファイバを用いて、互いに波長の異なることを許容する最大２ｍ系統の伝送装置を安価な設置コストで設置することができる光通信網構成方法およびバンドパス型カプラおよび光通信網を提供することを目的とする。
【０００８】
【課題を解決するための手段】
本発明は、互いに波長の異なることを許容する最大２ｍ系統の光通信網をビル間に設けたｍ本の光ファイバと安価なバンドパス型カプラを用いて安価に構成することを特徴とする。
【０００９】
すなわち、本発明の第一の観点は光通信網構成方法であって、本発明の特徴とするところは、第一のビルと第二のビルとの間に第一の光ファイバを設置し、Ｘ，Ｙ，Ｚの三つのポートを備えた第一および第二のバンドパス型カプラのＸポートを前記第一の光ファイバの両端にそれぞれ接続し、前記第一のバンドパス型カプラのＹポートに第一の伝送装置を接続し、前記第一のバンドパス型カプラのＺポートに第二の伝送装置を接続し、前記第二のバンドパス型カプラのＹポートに第三の伝送装置を接続し、前記第二のバンドパス型カプラのＺポートに第四の伝送装置を接続し、前記第二のビルと前記第二のビルに隣接する第三のビルとの間に第二の光ファイバを設置し、Ｘ，Ｙ，Ｚの三つのポートを備えた第三および第四のバンドパス型カプラのＸポートを前記第二の光ファイバの両端にそれぞれ接続し、前記第四のバンドパス型カプラのＹポートに第五の伝送装置を接続し、前記第四のバンドパス型カプラのＺポートに第六の伝送装置を接続し、前記第三のバンドパス型カプラのＹポートに前記第三の伝送装置を接続し、前記第三のバンドパス型カプラのＺポートに前記第四の伝送装置を接続し、前記第一および第三および第五の伝送装置は、単一あるいは複数の第一の波長の光信号を送受信し、前記第二および第四および第六の伝送装置は、単一あるいは複数の第二の波長の光信号を送受信し、前記第一の波長は、お互いが影響しないように波長間隔をとってある波長群であり、その波長はλ１からλｉ−１およびλｊからλｎまでの波長であり、前記第二の波長は、お互いが影響しないように波長間隔をとってある波長群であり、その波長はλｉからλｊ−１までの波長であり、ｉは２以上ｊ以下を表し、ｊはｉ＋１以上ｎ以下を表し、ｉ、ｊ、ｎはそれぞれ整数を表し、前記第一、第二、第三、第四のバンドパス型カプラは、それぞれ、前記Ｘポートから前記第一の波長の光信号と前記第二の波長の光信号とが合波された光信号を入力すると前記Ｙポートから単一あるいは複数の前記第二の波長の光信号を分波して出力し、前記Ｚポートから単一あるいは複数の前記第一の波長の光信号を分波して出力し、前記Ｙポートから前記第二の波長の光信号を入力すると前記Ｘポートから前記第二の波長の光信号を出力し、前記Ｚポートから前記第一の波長の光信号を入力すると前記Ｘポートから前記第一の波長の光信号を出力するところにある。
【００１０】
さらに、前記第一のビルと第三のビルとの間に第三の光ファイバを設置し、Ｘ，Ｙ，Ｚの三つのポートを備え、前記第一、第二、第三、第四のバンドパス型カプラと同じ特性を有する第五および第六のバンドパス型カプラのＸポートを前記第三の光ファイバの両端にそれぞれ接続し、前記第五のバンドパス型カプラのＹポートに前記第一の伝送装置を接続し、前記第五のバンドパス型カプラのＺポートに前記第二の伝送装置を接続し、前記第六のバンドパス型カプラのＹポートに前記第五の伝送装置を接続し、前記第六のバンドパス型カプラのＺポートに第六の伝送装置を接続してもよい。
【００１１】
これにより、一本の光ファイバをビル間に設置することにより二つの光通信網を構成し、同時に、送受信する波長の異なることを許容する二種類の伝送装置を使用することができる光通信網を安価なバンドパス型カプラを用いて実現することができる。
【００１２】
また、二つの前記バンドパス型カプラの間に介挿された前記伝送装置を除去したときには、この二つの前記バンドパス型カプラのポート間を直結することにより対応することができる。
【００１３】
また、逆に、光ファイバ設置当初には、送受信する波長が同じ一種類の伝送装置しか備えない計画でも、本発明の光通信網構成方法により光通信網を構成しておけば、将来、送受信する波長が異なる別の伝送装置を備える必要が生じても、ビル間に設置された光ファイバには、何ら追加工事を必要とせず、そのまま用いることができる。すなわち、バンドパス型カプラ間に伝送装置を備えない場合には、この二つのバンドパス型カプラのポート間を直結して設置しておけば、将来、このポート間に伝送装置を備える場合には、直結してあるポートを分離し、分離したポートをそれぞれ増設する伝送装置に接続することにより、簡単に伝送装置の増設工事を行うことができる。
【００１４】
本発明の第二の観点は本発明の光通信網構成方法に用いるバンドパス型カプラであって、本発明の特徴とするところは、前記第二の波長は反射し、前記第一の波長は透過する光学特性を有する第一および第二の光フィルタを備え、前記第一の光フィルタは、前記Ｘポートから入力した前記第二の波長の光を反射させ前記Ｙポートに出力する手段と、前記Ｙポートから入力した前記第二の波長の光を反射させ前記Ｘポートに出力する手段と、前記Ｚポートから入力し前記第二の光フィルタを透過した前記第一の波長の光をさらに透過させ前記Ｘポートに出力する手段とを備え、前記第二の光フィルタは、前記第一の光フィルタにより反射されずに透過した一部の前記第二の波長の光を導波路の外に反射し、前記第一の波長の光を透過して前記Ｚポートに出力する手段と、前記Ｚポートから入力した前記第一の波長の光を透過させ前記第一の光フィルタを介してＸポートに出力する手段とを備えたところにある。
【００１５】
このように、本発明の光通信網構成方法に用いるバンドパス型カプラは、簡単な構成により安価に製造できるため、光ファイバ設置当初には、送受信する波長が同じ一種類の伝送装置しか備える計画がなくても、本発明の光通信網構成方法により光通信網を構成しておけば、将来の増設に要する費用は伝送装置の費用だけで済み、大きな経済的効果が得られる。
【００１６】
本発明の第三の観点は、光通信網であって、複数のビル間にそれぞれｍ（ｍは自然数）本の光ファイバが設置され、各ビル内に各系統毎に送受信する波長が異なることを許容する最大２ｍ系統の伝送装置をそれぞれ備えた本発明の光通信網構成方法を用いて構成された光通信網である。
【００１７】
すなわち、本発明の光通信網構成方法を用いれば、ビル間に一本の光ファイバを設置することにより、各ビル内に波長が異なることを許容する二系統の伝送装置を備えることができる光通信網を構成できるので、ビル間にｍ本の光ファイバを設置すれば、各ビル内に波長が異なることを許容する最大２ｍ系統の伝送装置を備えることができる光通信網を構成することができる。
【００１８】
【発明の実施の形態】
本発明実施例の光通信網構成方法を図１ないし図１１を参照して説明する。図１は第一実施例の光通信網構成を示す図である。図２および図３は第一実施例の光通信網構成から一つの伝送装置を除去した構成を示す図である。図４は第二実施例の光通信網構成を示す図である。図５および図６は第二実施例の光通信網構成から一つの伝送装置を除去した構成を示す図である。図７、図８、図９は実施例で用いるバンドパス型カプラの構成および動作を示す図である。図１０は実施例で用いる光信号の波長スペクトルを示す図であり、横軸に波長をとり、縦軸に強度をとる。図１１はバンドパス型カプラのＸ−ＹおよびＸ−Ｚポートの透過損失特性を示す図であり、横軸に波長をとり、縦軸に透過損失をとる。
【００１９】
本発明第一実施例の光通信網構成方法は、図１に示すように、ビル２０とビル２１との間に光ファイバ２９を設置し、Ｘ，Ｙ，Ｚの三つのポートを備えたバンドパス型カプラ３１および３２のＸポートを光ファイバ２９の両端にそれぞれ接続し、バンドパス型カプラ３１のＹポートに伝送装置２３を接続し、バンドパス型カプラ３１のＺポートに伝送装置２６を接続し、バンドパス型カプラ３２のＹポートに伝送装置２４を接続し、バンドパス型カプラ３２のＺポートに伝送装置２７を接続し、ビル２１とビル２２との間に光ファイバ３０を設置し、Ｘ，Ｙ，Ｚの三つのポートを備えたバンドパス型カプラ３３および３４のＸポートを光ファイバ３０の両端にそれぞれ接続し、バンドパス型カプラ３４のＹポートに伝送装置２５を接続し、バンドパス型カプラ３４のＺポートに伝送装置２８を接続し、バンドパス型カプラ３３のＹポートに伝送装置２４を接続し、バンドパス型カプラ３３のＺポートに伝送装置２７を接続し、伝送装置２３、２４、２５は、単一あるいは複数の図１０に示す波長３の光信号を送受信し、伝送装置２６、２７、２８は、単一あるいは複数の図１０に示す波長２の光信号を送受信し、波長２は、お互いが影響しないように波長間隔をとってある波長群であり、その波長はλ１からλｉ−１およびλｊからλｎまでの波長であり、波長３は、お互いが影響しないように波長間隔をとってある波長群であり、その波長はλｉからλｊ−１までの波長であり、ｉは２以上ｊ以下を表し、ｊはｉ＋１以上ｎ以下を表し、ｉ、ｊ、ｎはそれぞれ整数を表し、バンドパス型カプラ３１、３２、３３、３４は、それぞれ、Ｘポートから波長２の光信号と波長３の光信号とが合波された光信号を入力するとＹポートから単一あるいは複数の波長２の光信号を分波して出力し、Ｚポートから単一あるいは複数の波長２の光信号を分波して出力し、Ｙポートから波長３の光信号を入力するとＸポートから波長３の光信号を出力し、Ｚポートから波長２の光信号を入力するとＸポートから波長２の光信号を出力することを特徴とする光通信網構成方法である。
【００２０】
第一実施例で用いるバンドパス型カプラ３１、３２、３３、３４は、図７、図８、図９に示すように、波長３は反射し、波長２は透過する光学特性を有する光フィルタ４０および４１を備え、光フィルタ４０は、図７に示すように、Ｘポートから入力した波長３の光を反射させＹポートに出力し、図８に示すように、Ｙポートから入力した波長３の光を反射させＸポートに出力し、図９に示すように、Ｚポートから入力し光フィルタ４１を透過した波長２の光をさらに透過させＸポートに出力し、光フィルタ４１は、図７に示すように、光フィルタ４０により反射されずに透過した一部の波長３の光を導波路５１の外に反射し、波長２の光を透過してＺポートに出力し、図９に示すように、Ｚポートから入力した波長２の光を透過させ光フィルタ４０を介してＸポートに出力する。
【００２１】
図１１にバンドパス型カプラのＸ−ＹおよびＸ−Ｚポートの透過損失特性を示す。Ｘ−Ｙポートは波長３をＸ−Ｚポートは波長２を選択的に透過する特性を備えている。ここで透過損失が５０ｄＢとあるが、この数字は伝送装置のもつ雑音耐力と受光系の光学特性に依存し、必ずしも５０ｄＢが必要というわけではない。
【００２２】
これにより、ビル２０、２１、２２の間には、一本の光ファイバ２９および３０を設置しておけば、波長の異なる二系統の伝送装置２３、２４、２５および２６、２７、２８をビル内に設置することができる。すなわち、伝送装置２３、２４、２５は、波長３に対応する装置を用い、伝送装置２６、２７、２８は、波長２に対応する装置を用いることができる。
【００２３】
本発明の光通信網では、図２に示すように、伝送装置２７を除去したときには、バンドパス型カプラ３２および３３のＺポートを相互に接続しておくことにより、伝送装置２６および２８は相互に通信を行うことができる。また、図３に示すように、伝送装置２４を除去したときには、バンドパス型カプラ３２および３３のＹポートを相互に接続しておけば伝送装置２３および２５は相互に通信を行うことができる。
【００２４】
また、光ファイバ設置当初の光通信網の構成が図２または図３に示すような構成であれば、図１に示すように、伝送装置２４および２７を増設する場合でも簡単に増設を行うことができる。
【００２５】
すなわち、本発明の光通信網構成方法により光通信網を構成しておけば、既に設置してある光ファイバを用いて簡単に伝送装置の増減設を行うことができる。
【００２６】
なお、第一実施例の構成では、ビル２０または２２内の伝送装置２３、２６または２５、２８の除去については、光通信網構成に影響を与えないので、任意に行うことができる。
【００２７】
また、説明をわかりやすくするために、一つの伝送装置を除去する例を説明したが、複数の伝送装置を同時に除去することもできる。また、これはすなわち、最初は伝送装置が備えられていない複数の箇所に、複数の伝送装置を同時に増設することができることも示唆している。
【００２８】
本発明第二実施例の光通信網構成方法は、図４に示すように、第一実施例で示した光通信網構成に加え、ビル２０とビル２２との間に光ファイバ３５を設置し、Ｘ，Ｙ，Ｚの三つのポートを備え、バンドパス型カプラ３１、３２、３３、３４と同じ特性を有するバンドパス型カプラ３６および３７のＸポートを光ファイバ３５の両端にそれぞれ接続し、バンドパス型カプラ３６のＹポートに伝送装置２３を接続し、バンドパス型カプラ３６のＺポートに伝送装置２６を接続し、バンドパス型カプラ３７のＹポートに伝送装置２５を接続し、バンドパス型カプラ３７のＺポートに伝送装置２８を接続した光通信網構成方法である。
【００２９】
これにより、ビル２０、２１、２２の間には、一本の光ファイバ２９および３０を設置しておけば、波長の異なる二系統の伝送装置２３、２４、２５および２６、２７、２８をビル内に設置することができる。すなわち、伝送装置２３、２４、２５は、波長３に対応する装置を用い、伝送装置２６、２７、２８は、波長２に対応する装置を用いることができる。
【００３０】
このように光通信網を構成することにより、図５に示すように、伝送装置２７を除去したときには、バンドパス型カプラ３２および３３のＺポートを相互に接続しておくことにより、伝送装置２６および２８は相互に通信を行うことができる。また、図６に示すように、伝送装置２４を除去したときには、バンドパス型カプラ３２および３３のＹポートを相互に接続しておけば伝送装置２３および２５は相互に通信を行うことができる。
【００３１】
また、光ファイバ設置当初の光通信網の構成が図５または図６に示すような構成であれば、図４に示すように、伝送装置２４および２７を増設する場合でも簡単に増設を行うことができる。
【００３２】
すなわち、本発明の光通信網構成方法により光通信網を構成しておけば、既に設置してある光ファイバを用いて簡単に伝送装置の増減設を行うことができる。
【００３３】
なお、第二実施例の構成では、ビル２０または２２内の伝送装置２３、２６または２５、２８についても、これを除去したときには、バンドパス型カプラ３６および３１または３７および３４のＹポートまたはＺポートを相互に接続しておくことにより、リング状の接続構成を保つことができる。
【００３４】
また、説明をわかりやすくするために、一つの伝送装置を除去する例を説明したが、複数の伝送装置を同時に除去することもできる。また、これはすなわち、最初は伝送装置が備えられていない複数の箇所に、複数の伝送装置を同時に増設することができることも示唆している。
【００３５】
以上、第一および第二実施例では、三つのビル２０、２１、２２の間に光ファイバ２９、３０あるいは３５を設置する例を説明したが、ビルの数が四以上の場合でも第一および第二実施例で説明したビルの数が三つの場合の説明を基にして容易に拡張して説明することができる。
【００３６】
【発明の効果】
以上説明したように、本発明によれば、ビル間に設置されたｍ本の光ファイバを用いて、互いに波長の異なることを許容する最大２ｍ系統の伝送装置を安価な設置コストで設置することができる。
【図面の簡単な説明】
【図１】第一実施例の光通信網構成を示す図。
【図２】第一実施例の光通信網構成から一つの伝送装置を除去した構成を示す図。
【図３】第一実施例の光通信網構成から一つの伝送装置を除去した構成を示す図。
【図４】第二実施例の光通信網構成を示す図。
【図５】第二実施例の光通信網構成から一つの伝送装置を除去した構成を示す図。
【図６】第二実施例の光通信網構成から一つの伝送装置を除去した構成を示す図。
【図７】実施例で用いるバンドパス型カプラの構成および動作を示す図。
【図８】実施例で用いるバンドパス型カプラの構成および動作を示す図。
【図９】実施例で用いるバンドパス型カプラの構成および動作を示す図。
【図１０】実施例で用いる光信号の波長スペクトルを示す図。
【図１１】バンドパス型カプラのＸ−ＹおよびＸ−Ｚポートの透過損失特性を示す図。
【図１２】従来の複数の伝送装置を光ファイバケーブルでつないだシステムを示すブロック図。
【図１３】従来の複数の伝送装置を光ファイバケーブルでつないだシステムを示すブロック図。
【符号の説明】
２、３  波長
５−１、５−２、６−１、６−２、７−１、７−２、２３〜２８  伝送装置
１１−１、１１−２、１２−１、１２−２、１００−１、１００−２、２９、３０、３５  光ファイバ
２０〜２２  ビル
３１〜３４、３６、３７  バンドパス型カプラ
４０、４１  光フィルタ
５０、５１  導波路
【図１】
0003686332.tif 000002
【図２】
0003686332.tif 000003
【図３】
0003686332.tif 000004
【図４】
0003686332.tif 000005
【図５】
0003686332.tif 000006
【図６】
0003686332.tif 000007
【図７】
0003686332.tif 000008
【図８】
0003686332.tif 000009
【図９】
0003686332.tif 000010
【図１０】
0003686332.tif 000011
【図１１】
0003686332.tif 000012
【図１２】
0003686332.tif 000013
【図１３】
0003686332.tif 000014